(57)【要約】【課題】部品の交換が必要なく、なおかつ、棒金を容易に開封することができる棒金開封装置を提供する。【解決手段】開口部から穴部に挿入した棒金の、穴部に挿入されていない一端側に、棒金の方向と略直交する方向に押圧力を加えることによって、押圧力の方向に応じた穴部の位置に、棒金の先端が当接して、棒金の挿入方向以外の方向への移動を制限する当接部を形成する。そして、開口部の近傍の、棒金の一端側に対する押圧力の方向と当接部の位置とに応じた位置に、押圧力を受ける受圧部を形成する。形成された当接部は支点として作用して、加えられた押圧力に応じた力を、作用点である受圧部に作用させることによって、棒金を包装するフィルムを引き裂いて棒金を開封する。【選択図】図２
2019079277.tif 000002
【特許請求の範囲】
【請求項１】
複数のコインを棒状に包装した棒金を挿入する開口部と、
前記棒金を、当該棒金に応じた深さまで挿入可能であり、且つ前記棒金の太さに応じた径を有する穴部と、
前記穴部に形成されて、前記棒金の挿入方向以外の方向への移動を制限する当接部と、
前記開口部の近傍に形成されて、前記穴部に挿入されていない前記棒金の一端側に対する、当該棒金の方向と略直交する方向に対する押圧力を受ける受圧部と、
を備える棒金開封装置。
【請求項２】
前記穴部は、
奥側ほど、面積がステップ状に小さくなる形状を有する、
ことを特徴とする請求項１に記載の棒金開封装置。
【請求項３】
前記穴部は、
奥側ほど、面積が錐体状に小さくなる形状を有する、
ことを特徴とする請求項１に記載の棒金開封装置。
【請求項４】
前記開口部は、
前記棒金を側面から前記穴部に挿入可能に形成される、
ことを特徴とする請求項１から請求項３のいずれか１項に記載の棒金開封装置。
【請求項５】
前記穴部は、
前記棒金を挿入した場合に、当該棒金と当接しながら、前記棒金の太さに応じた位置まで移動する可動壁部を備える、
ことを特徴とする請求項１から請求項３のいずれか１項に記載の棒金開封装置。
【発明の詳細な説明】
【技術分野】
【０００１】
本発明の実施形態は、棒金開封装置に関する。
【背景技術】
【０００２】
従来、小売店においては、釣銭の補充用として、同一金種の複数の硬貨を棒状（円柱状）に包装した棒金を用いている。棒金は、樹脂状のフィルムや紙等で包装されているため、硬貨を使用する際には、包装を破って開封する必要がある。そのため、例えば、カッターを備えた穴部に棒金を挿入して、カッターでフィルムや紙等を切り裂くことで棒金を開封する例が知られている（例えば、特許文献１）。
【０００３】
しかしながら、このような棒金開封装置にあっては、カッターの切れ味を維持するために、定期的に刃を交換する必要があった。また、カッターを用いるため、誤って身体が接触する可能性があった。
【発明の概要】
【発明が解決しようとする課題】
【０００４】
本発明が解決しようとする課題は、部品の交換が必要なく、なおかつ、棒金を容易に開封することができる棒金開封装置を提供することである。
【課題を解決するための手段】
【０００５】
実施形態の棒金開封装置は、開口部と、穴部と、当接部と、受圧部とを備える。開口部は、複数のコインを棒状に包装した棒金を挿入する。穴部は、棒金を、当該棒金に応じた深さまで挿入可能であり、且つ棒金の太さに応じた径を有する。当接部は、穴部に形成されて、棒金の挿入方向以外の方向への移動を制限する。受圧部は、開口部の近傍に形成されて、穴部に挿入されていない棒金の一端側に対する、棒金の方向と略直交する方向に対する押圧力を受ける。
【図面の簡単な説明】
【０００６】
【図１】図１（ａ）は、第１の実施形態の棒金開封装置の外観斜視図である。図１（ｂ）は、棒金開封装置に棒金を挿入した状態を示す外観斜視図である。図１（ｃ）は、棒金開封装置で棒金を開封した状態を示す外観斜視図である。
【図２】図２は、第１の実施形態の棒金開封装置の一部を、穴部の略中心で切ったＸＺ断面図である。
【図３】図３は、図２に示す棒金開封装置の穴部の内部構造を示すＹＺ断面図であり、図３（ａ）は、Ａ−Ａ断面図である。図３（ｂ）は、Ｂ−Ｂ断面図である。図３（ｃ）は、Ｃ−Ｃ断面図である。
【図４】図４は、棒金が開封した状態を示す、棒金開封装置のＸＺ断面図である。
【図５】図５は、第１の実施形態の棒金開封装置の穴部の変形例を示すＸＺ断面図およびＹＺ断面図である。
【図６】図６（ａ）は、第２の実施形態の棒金開封装置の外観斜視図である。図６（ｂ）は、棒金開封装置に棒金を挿入した状態を示す外観斜視図である。図６（ｃ）は、棒金開封装置で棒金を開封した状態を示す外観斜視図である。
【図７】図７（ａ）は、第３の実施形態の棒金開封装置の外観斜視図である。図７（ｂ）は、棒金開封装置のＸＺ断面図である。図７（ｃ）は、棒金押さえコマの外観斜視図である。
【図８】図８（ａ）は、第３の実施形態の棒金開封装置のＹＺ断面図である。図８（ｂ）は、第３の実施形態の棒金開封装置のＸＹ断面図である。
【図９】図９（ａ）は、第３の実施形態の棒金開封装置に対する、細い棒金の挿入状態を示すＸＹ断面図である。図９（ｂ）は、第３の実施形態の棒金開封装置に対する、太い棒金の挿入状態を示すＸＹ断面図である。
【発明を実施するための形態】
【０００７】
（第１の実施形態）
まず、図１を用いて、棒金開封装置の概略構成について説明する。図１（ａ）は、棒金開封装置１０の外観斜視図である。図１（ｂ）は、棒金開封装置１０に棒金９０を挿入した状態を示す外観斜視図である。図１（ｃ）は、棒金開封装置１０で棒金９０を開封した状態を示す外観斜視図である。
【０００８】
（棒金開封装置の機能の説明）
図１（ａ）に示すように、棒金開封装置１０は、略直方体状の筐体２０に、開口部２２を有する穴部２４を備えている。筐体２０は、筐体２０ａと筐体２０ｂとを、接着やねじ止め等によって接合して形成されている。開口部２２は、筐体２０ａと筐体２０ｂとの接合部に形成されて、棒金９０が挿入可能な形状（例えば、略円形状）を有する。穴部２４は、開口部２２から筐体２０の内部に向かって形成されて、棒金９０を、当該棒金９０の略半分の長さ相当の位置まで挿入可能とされている。穴部２４の具体的な内部構造については後述する。なお、以後の説明のため、棒金開封装置１０の穴部２４の延びる方向をＸ軸として、棒金開封装置１０の幅方向をＹ軸として、棒金開封装置１０の高さ方向をＺ軸とするＸＹＺ座標系を設定する。
【０００９】
図１（ｂ）に示すように、筐体２０の開口部２２に続く穴部２４には、棒金９０を挿入することができる。棒金９０は、同一金種の複数の硬貨９３を円柱状に積層して、フィルム９２で包装したものである。ここで、硬貨９３はコインの一例である。なお、棒金９０は、一般に、通貨としての硬貨やゲーム機等で使用されるメダル等を棒状に包装したものである。本実施形態では、例えば５０枚の硬貨９３が積層された棒金９０を例にあげて説明する。
【００１０】
棒金９０を穴部２４に挿入した状態で、棒金９０の穴部２４に挿入されていない一端側に、図１（ｂ）に示す矢印Ｆの方向、すなわち、棒金９０の方向と略直交する方向（Ｚ軸負方向）に押圧力を加える。すると、図１（ｃ）に示すように、棒金９０を包装したフィルム９２が、穴部２４の開口部２２の位置で開封される。詳しい開封のメカニズムについては後述する。
【００１１】
棒金９０が開封されると、棒金９０を包装したフィルム９２のうち、Ｚ軸負側の位置のフィルム９２は、部分的に切れずに残る（残存フィルム部９４）。こうして、棒金９０は、筐体２０の外側に垂れ下がった棒金片９０ｘと、穴部２４の内部に残った棒金片９０ｙとに分離する。なお、筐体２０は、棒金片９０ｘが突き当たる突当部２６を備えている。突当部２６は、開口部２２の周縁がなす面と略面一になるように形成されて、棒金片９０ｘの側面が突き当たる。図１（ｃ）の例では、開口部２２の周縁から連続する、筐体２０の外周面が突当部２６となる。なお、フィルム９２を確実に開封するために、開封後の棒金片９０ｘと棒金片９０ｙとは、略９０度の角度をなすことが望ましい。すなわち、棒金９０の挿入方向と、突当部２６が形成する面とは、略９０度の角度を有するのが望ましい。
【００１２】
棒金９０を開封した操作者は、棒金片９０ｘを把持して穴部２４から引き抜くことによって、棒金片９０ｘと棒金片９０ｙとを、筐体２０から取り出す。操作者は、続いて、棒金片９０ｘと棒金片９０ｙとを引っ張ることによって、残存フィルム部９４の位置から、棒金片９０ｘと棒金片９０ｙとをそれぞれ開封して硬貨を取り出す。
【００１３】
（棒金開封装置の内部構造の説明）
次に、図２，図３を用いて、棒金開封装置１０の内部構造について説明する。図２は、棒金開封装置１０の一部を、穴部２４の略中心で切ったＸＺ断面図である。
【００１４】
穴部２４は、開口部２２に続いて形成されて、棒金９０ａを、当該棒金９０ａに応じた深さまで挿入可能であり、且つ棒金９０ａの太さに応じた径を有する。図４に示す棒金開封装置１０では、穴部２４は、略円形状に形成されている。そして、穴部２４の内部には、第１の底部２８ａと、第２の底部２８ｂと、第３の底部２８ｃとが、それぞれ階段状（ステップ状）に形成されている。第１の底部２８ａは、開口部２２から深さＤ１の位置に形成されている。第２の底部２８ｂは、開口部２２から深さＤ２の位置に形成されている。そして、第３の底部２８ｃは、開口部２２から深さＤ３の位置に形成されている。
【００１５】
第１の底部２８ａの直径ｄ１は、例えば、ｄ１＝２７ｍｍに設定されている。第２の底部２８ｂの直径ｄ２は、例えば、ｄ２＝２４ｍｍに設定されている。そして、第３の底部２８ｃの直径ｄ３は、例えば、ｄ３＝２１．５ｍｍに設定されている。すなわち、直径ｄ３以内の棒金９０は、第３の底部２８ｃの位置まで挿入可能である。また、直径ｄ３から直径ｄ２（ｄ３＜ｄ２）の棒金９０は、第２の底部２８ｂの位置まで挿入可能である。そして、直径ｄ２から直径ｄ１（ｄ２＜ｄ１）の棒金９０は、第１の底部２８ａの位置まで挿入可能である。
【００１６】
日本国内で使用されている硬貨には、１円硬貨（直径２０．０ｍｍ）、５円硬貨（直径２２．０ｍｍ）、１０円硬貨（直径２３．５ｍｍ）、５０円硬貨（直径２１．０ｍｍ）、１００円硬貨（直径２２．６ｍｍ）、５００円硬貨（直径２６．５ｍｍ）の６種類がある。そして、径が小さい（細い）１円硬貨と５０円硬貨は、第３の底部２８ｃの位置まで挿入可能である。また、径が中間の５円硬貨と１０円硬貨と１００円硬貨は、第２の底部２８ｂの位置まで挿入可能である。そして、径が大きい（太い）５００円硬貨は、第１の底部２８ａの位置まで挿入可能である。以下、説明の便宜上、１円硬貨の棒金９０と５０円硬貨の棒金９０を、棒金９０ａと呼ぶ。また、５円硬貨の棒金９０と１０円硬貨の棒金９０と１００円硬貨の棒金９０を、棒金９０ｂ（不図示）と呼ぶ。そして、５００円硬貨の棒金９０を棒金９０ｃ（不図示）と呼ぶことにする。なお、図２は、棒金９０ａを、第３の底部２８ｃの位置まで挿入した例を示している。
【００１７】
第１の底部２８ａの深さＤ１，第２の底部２８ｂの深さＤ２，第３の底部２８ｃの深さＤ３は、それぞれ、棒金９０を穴部２４の奥まで挿入した際に、穴部２４に挿入された側の長さと、穴部２４に挿入されていない部分の長さとが略等しくなるように設定するのが望ましい。例えば、Ｄ１＝３０ｍｍ，Ｄ２＝４０ｍｍ，Ｄ３＝５０ｍｍ程度に設定する。穴部２４の深さＤ１，Ｄ２，Ｄ３をこのように設定することによって、棒金９０のうち、穴部２４に挿入されていない部分の長さが、棒金９０の長さの略半分となるため、棒金９０を開封する際に、筐体２０から突出した部分、すなわち、棒金９０の穴部２４に挿入されていない側に対して、押圧力を加えやすくなる。
【００１８】
なお、開口部２２の近傍には、開口部２２の面積よりもやや狭い開口面積を有する折曲部材３０が設置されている。折曲部材３０は、例えば鉄等の金属で形成された板状部材である。
【００１９】
図２に示す状態において、穴部２４に挿入した棒金９０ａのうち、穴部２４に挿入されていない側の端部に、棒金９０ａの方向と略直交する矢印Ｆ方向の押圧力を加えると、棒金９０ａは、第３の底部２８ｃの近傍において、穴部２４の壁面と当接部２７において当接する。すなわち、当接部２７は、穴部２４に形成されて、棒金９０ａの挿入方向以外の方向への移動を制限する。さらに、棒金９０ａは、図２に示すように、折曲部材３０と、受圧部３２において当接した状態となる。すなわち、受圧部３２は、開口部２２の近傍に形成されて、穴部２４に挿入されていない棒金９０ａの一端側に対する、棒金９０ａの方向と略直交する方向に対する押圧力を受ける。なお、受圧部３２の形状は、折曲部材３０の形状によって定まる。すなわち、受圧部３２は、棒金９０ａの外側面と１点で当接させてもよいし、棒金９０ａの外側面がなす円弧の一部と曲線状に当接させてもよい。
【００２０】
次に、図３を用いて、穴部２４の断面形状について説明する。図３は、図２に示す棒金開封装置１０の穴部２４の内部構造を示すＹＺ断面図であり、図３（ａ）は、Ａ−Ａ断面図である。図３（ｂ）は、Ｂ−Ｂ断面図である。図３（ｃ）は、Ｃ−Ｃ断面図である。
【００２１】
図３（ａ）に示すように、穴部２４は、第１の底部２８ａと、第２の底部２８ｂと、第３の底部２８ｃとがステップ状に形成されている。そして、第１の底部２８ａは、直径ｄ１の穴部２４のうち、周縁部の幅（ｄ１−ｄ２）／２の領域である。そして、棒金９０ｃ（不図示）は、この第１の底部２８ａの位置まで挿入することができる。また、第１の底部２８ａの内側の領域は略円形状をなしており、その領域は、棒金９０ａ（図２参照）と棒金９０ｂ（不図示）とが通過可能な面積を有する。
【００２２】
また、図３（ｂ）に示すように、第２の底部２８ｂは、直径ｄ２の穴部２４のうち、周縁部の幅（ｄ２−ｄ３）／２の領域である。そして、棒金９０ｂ（不図示）は、この第２の底部２８ｂの位置まで挿入することができる。また、第２の底部２８ｂの内側の領域は略円形状をなしており、その領域は、棒金９０ａ（図２参照）が通過可能な面積を有する。
【００２３】
そして、図３（ｃ）に示すように、第３の底部２８ｃは、直径ｄ３の穴部２４の領域であり、略円形状をなしている。そして、棒金９０ａ（図２参照）は、この第３の底部２８ｃの位置まで挿入することができる。
【００２４】
（棒金開封装置の作用の説明）
次に、図４を用いて、棒金開封装置１０の作用について説明する。図４は、棒金９０ａが開封した状態を示す、棒金開封装置１０のＸＺ断面図である。
【００２５】
棒金９０ａに、図２で示した矢印Ｆの方向の押圧力をさらに加えると、図４に示すように、棒金９０ａは、当接部２７および受圧部３２によって移動を制限されるため、矢印Ｆ方向（図２参照）に加えられた押圧力は、棒金９０ａが受圧部３２に当接する点の反対側の点である、点３２ａ（図２参照）に集中する。そして、さらに押圧力を加えると、棒金９０ａを包装しているフィルム９２の引張力が、棒金９０ａをＺ軸負側に移動させる力に耐えきれなくなり、点３２ａにおいてフィルム９２が破断する。
【００２６】
すなわち、穴部２４に挿入されていない棒金９０ａの一端側に、当該棒金９０ａの方向と略直交する方向に対する押圧力を加えると、押圧力を加えた点が力点として作用する。そして、棒金９０ａのうち、当接部２７において穴部２４と当接した点が支点として作用する。さらに、受圧部３２において折曲部材３０と当接した点が作用点として作用する。これによって、棒金９０ａに当該棒金９０ａを折り曲げる方向の力を作用させることができる。点３２ａにおけるフィルム９２の破断は、棒金９０ａの方向と直交する方向（略Ｚ軸負方向）に伝わるため、フィルム９２はＺ軸に沿って破断する。そして、棒金９０ａの側面は折れ曲がって、筐体２０の外面、すなわち突当部２６に突き当たる位置まで移動する。
【００２７】
このようにして、棒金９０ａを、折曲部材３０の位置で開封することができる。そして、フィルム９２の破断は、棒金片９０ｘが突当部２６に突き当たった際に停止するため、棒金片９０ｘと棒金片９０ｙとは、破断せずに残った残存フィルム部９４によって接続された状態となる。なお、筐体２０が、棒金９０ａの折り曲げに耐える十分な強度を有している場合には、折曲部材３０は設置しなくてもよい。
【００２８】
なお、棒金９０ａに加える押圧力の方向は、常に一定であるとは限らない。そして、押圧力の方向が変わった場合には、前記した当接部２７の位置が、穴部２４の内壁内で、押圧力の方向に応じた位置に変化する。そして、当接部２７の位置の変化に伴って、受圧部３２の位置も変化する。
【００２９】
また、棒金９０ａが挿入される深さは常に一定であるとは限らない。棒金９０ａが挿入される深さが変化すると、それに伴って、当接部２７の位置が、穴部２４の内壁内で変化する。そして、当接部２７の位置の変化に伴って、受圧部３２の位置も変化する。
【００３０】
なお、棒金９０ａに対して、押圧力を有効に伝達して、棒金９０ａを容易に開封するためには、棒金９０ａの先端が当接して形成された当接部２７の位置は、棒金９０ａが開封されるまでの間、滑りの発生等によって移動しないことが望ましい。そのため、穴部２４の内壁、特に、当接部２７が形成される可能性がある領域は、例えば、梨地仕上げにする等して滑り止め効果を持たせておくのが望ましい。
【００３１】
以上、棒金９０ａを開封する場合を例にあげて説明したが、棒金９０ｂ，９０ｃ（不図示）についても、開封のメカニズムは同様である。
【００３２】
（実施形態の変形例の説明）
以上説明した実施形態では、穴部２４は、奥側（Ｘ軸負方向側）ほど、断面積がステップ状に小さくなる形態としたが、穴部２４の形態は、これに限定されるものではない。
【００３３】
図５は、棒金開封装置１０の穴部２４の変形例を示すＸＺ断面図およびＹＺ断面図である。特に、図５（ａ）は、実施形態で説明した穴部２４に対して、Ｚ軸負方向側の内壁である内壁下部３４の段差をなくした穴部２４ａを形成した例である。また、図５（ｂ）は、穴部２４ａに対して、内壁上部３６ａにリブ状の底部３８ａ，３８ｂを形成して、穴部２４ｂとした例である。そして、図５（ｃ）は、穴部２４ａに対して、Ｚ軸正方向側の内壁である内壁上部３６ｂを、奥側ほど、断面積が錐体状に小さくなる穴部２４ｃとした例である。
【００３４】
図５（ａ）の穴部２４ａによると、図５（ａ）のＸＺ断面図を切断線Ｄ−Ｄで切ったＤ−Ｄ断面図（ＹＺ断面図）に示すように、内壁下部３４には段差がない。したがって、開口部２２から棒金９０を挿入した際に、棒金９０を、内壁下部３４に当接させながら穴部２４ａの奥に挿入することができる。そのため、棒金９０を挿入しやすくなる。
【００３５】
図５（ｂ）の穴部２４ｂによると、内壁下部３４の段差がないため、開口部２２から棒金９０を挿入した際に、棒金９０を挿入しやすくなる。さらに、穴部２４ｂによると、内壁上部３６ａにリブ状の底部３８ａ，３８ｂを形成したため、前記した穴部２４と比べて、筐体２０の軽量化を図ることができる。
【００３６】
図５（ｃ）の穴部２４ｃによると、穴部２４ｃの断面積が、奥側ほど錐体状に小さくなるため、開口部２２から棒金９０を挿入した際に、棒金９０を内壁上部３６ｂまたは内壁下部３４に当接させながら穴部２４ｃの奥まで挿入することができる。したがって、棒金９０を、より一層挿入しやすくなる。
【００３７】
なお、棒金開封装置１０は、図１に示した形態で製造して、店舗のＰＯＳ端末等の近傍に載置してもよいし、棒金開封装置１０を、ＰＯＳ端末や、テープカッターや、ドロワ装置や、レジ台等に内蔵した構成としてもよい。
【００３８】
以上説明したように、棒金開封装置１０によれば、開口部２２から穴部２４に挿入した棒金９０の、穴部２４に挿入されていない一端側に、棒金９０の方向と略直交する方向に押圧力を加えることによって、押圧力の方向に応じた穴部２４の位置に、棒金９０の先端が当接して、棒金９０の挿入方向以外の方向への移動を制限する当接部２７が形成される。そして、開口部２２の近傍の、棒金９０の一端側に対する押圧力の方向と当接部２７の位置とに応じた位置に、押圧力を受ける受圧部３２が形成される。形成された当接部２７は支点として作用して、加えられた押圧力に応じた力を、作用点である受圧部３２に作用させることによって、棒金９０を包装するフィルム９２を引き裂く。したがって、棒金９０を容易に開封することができる。また、棒金開封装置１０は、カッター等の、交換が必要な部品を用いないため、部品交換を行う必要がない。
【００３９】
また、棒金開封装置１０によれば、穴部２４は、奥側ほど、断面積がステップ状に小さくなる形状を有する。したがって、太さの異なる棒金９０（９０ａ，９０ｂ，９０ｃ）を穴部２４に挿入した場合に、当該棒金９０を、太さに応じた位置まで確実に挿入して、当接部２７を形成することができる。
【００４０】
そして、棒金開封装置１０によれば、穴部２４ｃは、奥側ほど、断面積が錐体状に小さくなる形状を有する。したがって、太さの異なる棒金９０（９０ａ，９０ｂ，９０ｃ）を穴部２４ｃに挿入した場合に、棒金９０を、穴部２４ｃの壁面に当接させながら、容易に挿入することができる。なお、図５（ｃ）において、内壁上部３６ｂと内壁下部３４とを入れ替えて、内壁上部をＸ軸に平行な形状として、内壁下部を、Ｘ軸正方向側が低い傾斜面としてもよい。このような形状の穴部２４ｃを形成した場合、穴部２４ｃに残った棒金片９０ｙ（図４参照）が、Ｘ軸正方向側、すなわち開口部２２側に滑り落ちるようになるため、開封後の棒金片９０ｙを取り出し易くすることができる。
【００４１】
（第２の実施形態）
次に、第２の実施形態について説明する。図６（ａ）は、第２の実施形態の棒金開封装置１０ａの外観斜視図である。図６（ｂ）は、棒金開封装置１０ａに棒金９０を挿入した状態を示す外観斜視図である。図６（ｃ）は、棒金開封装置１０ａで棒金９０を開封した状態を示す外観斜視図である。
【００４２】
図６（ａ）に示すように、棒金開封装置１０ａは、筐体２１に、開口部２２ａと開口部２２ａに続く穴部２５を備えている。開口部２２ａは、筐体２１のＸ軸正方向側に加えて、筐体２１のＹ軸正方向側にも開口を有するように形成されている。そして、開口部２２ａは、棒金９０を、Ｘ軸正方向側のみならず、棒金９０の側面の側、すなわちＹ軸正方向側からも穴部２５に挿入可能とする。
【００４３】
穴部２５の内部形状は、第１の実施形態で説明した穴部２４と同様である。すなわち、太さの異なる棒金９０が、それぞれ棒金９０に応じた深さまで挿入可能とされている。なお、開口部２２ａのＸ軸正方向側端部には、折曲部材３０ａが設置されている。折曲部材３０ａは、開口部２２ａの形状に合わせて、Ｕ字形状とされている。なお、穴部２５の内部形状は、図５に示した形状としてもよい。
【００４４】
穴部２５には、例えば図６（ｂ）に示すように、棒金９０が挿入される。挿入された棒金９０に、第１の実施形態と同様に、矢印Ｆの方向から押圧力を加えることによって、棒金開封装置１０ａには、図６に不図示の当接部２７と受圧部３２とが形成される。そして、棒金９０は、図６（ｃ）に示すように開封される。開封された棒金９０は、第１の実施形態と同様に、棒金片９０ｘと、棒金片９０ｙとに分割される。そして、棒金片９０ｘと棒金片９０ｙとは、残存フィルム部９４によって接続された状態となる。
【００４５】
開封された棒金９０は、開口部２２ａを通して取り出される。その際、棒金９０は、Ｘ軸正方向側から取り出してもよいし、Ｙ軸正方向側から取り出してもよい。なお、図６（ａ）では、穴部２５は、Ｙ軸正方向側に形成した開口からＹ軸に沿って延びる方向（水平方向）に形成したが、これは、Ｙ軸負方向側ほど低くなるように傾斜を付けて形成してもよい。これにより、穴部２５に挿入した棒金９０は、傾斜に沿ってＹ軸負方向側に滑り落ちるため、挿入した棒金９０が、Ｙ軸正方向側の開口からこぼれ落ちにくくなる。また、穴部２５のうち、筐体２１のＸ軸正方向側の開口に続く面を、Ｘ軸正方向側ほど低くなる傾斜面としてもよい。この場合、先に説明したように、穴部２５に残った棒金片９０ｙが、Ｘ軸正方向側に滑り落ちるようになるため、開封後の棒金片９０ｙを取り出し易くすることができる。
【００４６】
以上説明したように、棒金開封装置１０ａによれば、開口部２２ａは、棒金９０を側面からでも穴部２５に挿入可能に形成される。したがって、棒金９０の挿入がより一層容易になる。さらに、棒金開封装置１０ａによれば、穴部２５の内部に溜まったフィルム９２の切れ端や、穴部２５の内部に溜まった埃等を容易に清掃することができる。
【００４７】
（第３の実施形態）
次に、第３の実施形態について説明する。図７（ａ）は、第３の実施形態の棒金開封装置１０ｂの外観斜視図である。図７（ｂ）は、棒金開封装置１０ｂのＸＺ断面図である。図７（ｃ）は、棒金押さえコマ４０ａの外観斜視図である。
【００４８】
図７（ａ）に示すように、棒金開封装置１０ｂは、略直方体状の筐体２３に、開口部２２を有する穴部４４を備えている。筐体２３は、筐体２３ａと筐体２３ｂとを、接着やねじ止め等によって接合して形成されている。開口部２２は、筐体２３ａと筐体２３ｂとの接合部に形成されて、棒金９０が挿入可能な形状（例えば、略円形状）を有する。穴部４４は、開口部２２から筐体２３の内部に向かって形成されて、棒金９０（不図示）を、当該棒金９０に応じた深さ、例えば、当該棒金９０の略半分の長さ相当の位置まで挿入可能とされる。穴部４４の具体的な内部構造については後述する。なお、以後の説明のため、棒金開封装置１０ｂの穴部４４の延びる方向をＸ軸として、棒金開封装置１０ｂの幅方向をＹ軸として、棒金開封装置１０ｂの高さ方向をＺ軸とするＸＹＺ座標系を設定する。
【００４９】
図７（ｂ）に示すように、穴部４４の内部には、筐体２３ａ側に、棒金押さえコマ４０ａが備えられる。また、筐体２３ｂ側には、棒金押さえコマ４０ｂ（図８参照）が備えられる。棒金押さえコマ４０ａと棒金押さえコマ４０ｂとは同じ形状を有して、互いに向かい合って設置される。
【００５０】
棒金押さえコマ４０ａは、図７（ｃ）に示すように内壁４３ａを備える。内壁４３ａは、Ｘ軸正側からＸ軸負側に向けて、径が徐々に小さくなる凹面の形状を有する。内壁４３ａの形状は、前記した穴部２４ｃ（図５（ｃ）参照）の形状と同じであり、挿入された棒金９０を、当該棒金９０の太さに応じた位置までガイドする。なお、筐体２３ｂの内部に備えられる棒金押さえコマ４０ｂ（図８（ａ）参照）も、同じ形状の内壁４３ｂ（図８（ａ）参照）を備える。
【００５１】
棒金押さえコマ４０ａのＺ軸方向上下の位置には、摺動部４１ａと摺動部４２ａが形成されている。摺動部４１ａと摺動部４２ａとは、それぞれ、筐体２３ａの内部に形成された溝部２９ａ，３１ａに嵌め込まれる。摺動部４１ａ，４２ａは、筐体２３ａの内部で、棒金押さえコマ４０ａをＹ軸方向に摺動させた際のガイド部材として機能する。
【００５２】
なお、穴部４４の最深位置には、底面４８ａが形成されている。また、開口部２２の近傍には、第１の実施形態の棒金開封装置１０と同様に、折曲部材３０が備えられる。
【００５３】
穴部４４には、開口部２２から棒金９０が挿入される。そして、挿入された棒金９０の先端側は、底面４８ａの位置まで挿入される。このとき、穴部４４に挿入されていない棒金９０の一端側に押圧力を加えると、穴部４４に挿入された棒金９０の先端側は、穴部４４の内壁に当接して、当接部２７（図４参照）を形成する。そして、このとき、折曲部材３０の端部には、棒金９０を開封する際の受圧部３２（図４参照）が形成される。
【００５４】
次に、図８を用いて、穴部４４の内部構造について説明する。図８（ａ）は、棒金開封装置１０ｂのＹＺ断面図（図７（ｂ）のＥ−Ｅ断面図）である。図８（ｂ）は、棒金開封装置１０ｂのＸＹ断面図（図７（ｂ）のＦ−Ｆ断面図）である。
【００５５】
図８（ａ），図８（ｂ）に示すように、棒金押さえコマ４０ａと棒金押さえコマ４０ｂとは、内壁４３ａと内壁４３ｂとが向かい合った状態で設置される。なお、棒金押さえコマ４０ａ，４０ｂは、それぞれ可動壁部の一例である。
【００５６】
図８（ａ）に示すように、棒金押さえコマ４０ａのＹ軸負側の面には、筐体２３ａとの間に、弾性体であるばね５０ａが接続されている。また、棒金押さえコマ４０ｂのＹ軸正側の面には、筐体２３ｂとの間に、弾性体であるばね５０ｂが接続されている。ばね５０ａ，５０ｂは、例えば、金属ばねである。そして、棒金押さえコマ４０ａと棒金押さえコマ４０ｂとは、それぞればね５０ａとばね５０ｂとで加圧されて、互いに当接した状態を保持している。
【００５７】
棒金押さえコマ４０ａに設けられた摺動部４１ａと摺動部４２ａは、前記したように、溝部２９ａ，３１ａに嵌め込まれる。そして、摺動部４１ａ，４２ａは、溝部２９ａ，３１ａにガイドされて、棒金押さえコマ４０ａをＹ軸方向に摺動可能とする。また、棒金押さえコマ４０ｂに設けられた摺動部４１ｂと摺動部４２ｂは、それぞれ、溝部２９ｂ，３１ｂに嵌め込まれる。そして、摺動部４１ｂ，４２ｂは、溝部２９ｂ，３１ｂにガイドされて、棒金押さえコマ４０ｂをＹ軸方向に摺動可能とする。
【００５８】
図８（ｂ）に示すように、棒金押さえコマ４０ａの内壁４３ａと、棒金押さえコマ４０ｂの内壁４３ｂとは、Ｘ軸の負方向に向けて、径が徐々に小さくなる。そして、開口部２２から棒金９０（不図示）を挿入すると、棒金９０は、内壁４３ａと内壁４３ｂとに当接して、内壁４３ａと内壁４３ｂとを押し広げる方向に力を加えながら、Ｘ軸負側に向けて進行する。このとき、棒金押さえコマ４０ａ，４０ｂは、それぞれ、ばね５０ａ，５０ｂの弾性力を受けるため、棒金９０の挿入をガイドする。
【００５９】
次に、図９を用いて、棒金開封装置１０ｂに、太さが異なる棒金９０ａ，９０ｃをそれぞれ挿入した際の動作について説明する。図９（ａ）は、棒金開封装置１０ｂに対する、細い棒金９０ａの挿入状態を示すＸＹ断面図（図７（ｂ）のＦ−Ｆ断面図）である。図９（ｂ）は、棒金開封装置１０ｂに対する、太い棒金９０ｃの挿入状態を示すＸＹ断面図（図７（ｂ）のＦ−Ｆ断面図）である。
【００６０】
図９（ａ）に示すように、棒金開封装置１０ｂに細い棒金９０ａを挿入した場合、棒金９０ａの先端は、内壁４３ａ，４３ｂに当接しながら、筐体２３ａ，２３ｂの内部に進入する。このとき、棒金９０ａは、内壁４３ａ，４３ｂに対して、Ｙ軸方向に押し開く力を加える。棒金押さえコマ４０ａは、この押し開く力によって、Ｙ軸負方向に移動する。その際、棒金押さえコマ４０ａのＺ軸方向上下位置に設けられた摺動部４１ａ，４２ａ（図７（ｂ）参照）は、筐体２３ａの溝部２９ａ，３１ａ（図８（ａ）参照）に沿って摺動する。したがって、棒金押さえコマ４０ａは、姿勢を保ったまま、棒金９０ａの挿入位置に応じてＹ軸負方向に移動する。そして、棒金押さえコマ４０ａは、ばね５０ａの弾性力によってＹ軸正方向に加圧される。したがって、棒金押さえコマ４０ａは、棒金９０ａによってＹ軸負方向に押される力と、ばね５０ａによってＹ軸正方向に押される力とが釣り合った位置まで移動する。
【００６１】
そして、内壁４３ｂを有する棒金押さえコマ４０ｂも、筐体２３ｂの内部で、棒金押さえコマ４０ａと同様に移動する。すなわち、棒金押さえコマ４０ｂは、棒金９０ａの挿入に伴って、Ｙ軸正方向に押し開く力を受ける。その際、棒金押さえコマ４０ｂのＺ軸方向上下位置に設けられた摺動部４１ｂ，４２ｂ（図８（ａ）参照）は、筐体２３ｂの溝部２９ｂ，３１ｂ（図８（ａ）参照）に沿って摺動する。したがって、棒金押さえコマ４０ｂは、姿勢を保ったまま、棒金９０ａの挿入位置に応じてＹ軸正方向に移動する。そして、棒金押さえコマ４０ｂは、ばね５０ｂの弾性力によってＹ軸負方向に加圧される。したがって、棒金押さえコマ４０ｂは、棒金９０ａによってＹ軸正方向に押される力と、ばね５０ｂによってＹ軸負方向に押される力とが釣り合った位置まで移動する。
【００６２】
挿入された棒金９０ａの先端は、穴部４４の底面４８ａ，４８ｂの位置まで到達する。なお、底面４８ｂは、筐体２３ｂ側に形成された穴部４４の底面である。このとき、内壁４３ａと内壁４３ｂとは押し広げられた状態にあるが、内壁４３ａ，４３ｂには、ばね５０ａ，５０ｂから、棒金９０ａを挟み込む方向の力が作用するため、棒金９０ａはがたつくことなく、棒金押さえコマ４０ａ，４０ｂによって把持される。
【００６３】
棒金９０ａが、底面４８ａ，４８ｂの位置まで挿入された状態にあるとき、第１の実施形態で説明したように、棒金９０ａの穴部４４に挿入されていない一端側に、棒金９０ａの方向と略直交する方向、すなわち、略Ｚ軸負方向に向かう押圧力を加える。すると、棒金９０ａの先端は、穴部４４の内壁に当接して、図９（ａ）に不図示の当接部２７を形成する。そして、棒金９０ａの開口部２２側は、折曲部材３０に当接して、受圧部３２を形成する。このように、当接部２７と受圧部３２とが形成された状態で、さらに押圧力を加えると、棒金９０ａは、当接部２７と受圧部３２とに応じた位置で開封される。
【００６４】
一方、図９（ｂ）に示すように、太い棒金９０ｃを挿入した場合にも、棒金押さえコマ４０ａ，４０ｂは同様に動作する。この場合、棒金９０ｃは棒金９０ａよりも太いため、棒金押さえコマ４０ａ，４０ｂの移動量は、図９（ａ）の場合と比べて大きくなる。しかし、この場合であっても、棒金９０ｃの先端は、底面４８ａ，４８ｂの位置まで挿入される。そして、先に説明したのと同様に、棒金９０ｃの穴部４４に挿入されていない一端側に、棒金９０ｃの方向と略直交する方向に向かう押圧力を加えると、当接部２７（不図示）と受圧部３２とが形成されて、棒金９０ｃは、当接部２７と受圧部３２とに応じた位置で開封される。
【００６５】
以上説明したように、棒金開封装置１０ｂによれば、穴部４４は、棒金９０を挿入した場合に、当該棒金９０と当接しながら、棒金９０の太さに応じた位置まで移動する棒金押さえコマ４０ａ，４０ｂ（可動壁部）を備える。したがって、棒金９０（９０ａ，９０ｂ，９０ｃ）の太さによらずに、棒金９０の先端を穴部４４の底面４８ａ，４８ｂの位置まで挿入することができる。そのため、穴部４４に挿入した棒金９０の、開口部２２から突出した部分の長さが、棒金９０の太さによらずに略等しくなるため、棒金９０の太さによらず、略等しい押圧力で棒金９０を開封することができる。
【００６６】
以上、本発明の実施形態を説明したが、これらの実施形態は、いずれも例示であり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６７】
１０，１０ａ，１０ｂ          棒金開封装置
２０，２０ａ，２０ｂ，２１，２３，２３ａ，２３ｂ    筐体
２２，２２ａ                  開口部
２４，２４ａ，２４ｂ，２４ｃ，２５，４４    穴部
２７                          当接部
３０，３０ａ                  折曲部材
３２                          受圧部
４０ａ，４０ｂ                棒金押さえコマ（可動壁部）
９０，９０ａ，９０ｂ，９０ｃ  棒金
９０ｘ，９０ｙ                棒金片
９２                          フィルム
９４                          残存フィルム部
【先行技術文献】
【特許文献】
【００６８】
【特許文献１】特開２００２−３２８５１号公報
【図１】
2019079277.tif 000003
【図２】
2019079277.tif 000004
【図３】
2019079277.tif 000005
【図４】
2019079277.tif 000006
【図５】
2019079277.tif 000007
【図６】
2019079277.tif 000008
【図７】
2019079277.tif 000009
【図８】
2019079277.tif 000010
【図９】
2019079277.tif 000011